(57)【要約】【課題】スクリーン用ダンパ装置の、ロールスクリーン或いはブラインドの巻き取り或いは引き上げ及び引き伸ばし或いは展開時に発生する速度制御の難しさの問題を解決すること。【解決手段】ダンパ及びダンパハウジングを包含し、クラッチアセンブリと枢接され且つロールスクリーン或いはブラインドが組み合わされ、該ダンパの一端に、軸がダンパハウジングに対して回転する時に体積変化を発生可能な曲面が設けられ、該ダンパと該ダンパハウジングの間の密閉された収容室中にダンパオイルが入れられ、該ダンパハウジングの一端の軸心にクラッチアセンブリが枢接され、ダンパハウジングの別端の軸棒に、ロールスクリーンが装着される主バネの伝動棒が嵌合される。本発明のダンパ装置は、ロールスクリーン或いはブラインドを収容或いは引き出す時に、その速度制御作用を提供する。【選択図】図２
2009091777.tif 000002
【特許請求の範囲】
【請求項１】
スクリーン用ダンパ装置において、該ダンパ装置はダンパ（１０）及びダンパハウジング（２０）を包含し、クラッチアセンブリ（３０）と枢接され且つロールスクリーン（４０）が組み合わされ、
該ダンパ（１０）は、その外周にフランジ（１１）が設けられ、該フランジ（１１）の一端に、軸（１２０）がダンパハウジング（２０）に対して回転する時に内部の流体に体積変化を発生させる一組以上の曲面（１２）、（１２１）が設けられ、該フランジ（１１）の別端に凸棒（１３）が設けられ、該ダンパ（１０）の中央に軸方向に貫通する貫通孔（１４）が設けられ、
該ダンパハウジング（２０）は、該ダンパ（１０）の外周に嵌合され、内部に収容室（２１１）を具えたハウジング（２１）、及び該収容室（２１１）の中央に位置し延伸された軸心（２２）と、別端の突出する棒体（２３）を具えたことを特徴とする、スクリーン用ダンパ装置。
【請求項２】
請求項１記載のスクリーン用ダンパ装置において、前述のダンパ（１０）のフランジ（１１）の一端の上部と底部の表面に、第１凹環（１１１）と第２凹環（１１２）が設けられ、それぞれ第１パッキング（１５）、第２パッキング（１６）が嵌め込まれ、これによりダンパハウジング（２０）との嵌合部分が緊密に封じられたことを特徴とする、スクリーン用ダンパ装置。
【請求項３】
請求項１記載のスクリーン用ダンパ装置において、前述のダンパ（１０）のフランジ（１１）の別端面に係止溝（１１３）が延設され、弾性部品（３２）の一端（３２１）が係止されたことを特徴とする、スクリーン用ダンパ装置。
【請求項４】
請求項１記載のスクリーン用ダンパ装置において、前述のダンパハウジング（２０）の一端の軸心（２２）にネジ孔（２２１）が設けられたことを特徴とする、スクリーン用ダンパ装置。
【請求項５】
請求項１記載のスクリーン用ダンパ装置において、前述の棒体（２３）に穿孔（２３１）及び周壁のピン孔（２３２）が設けられたことを特徴とする、スクリーン用ダンパ装置。
【請求項６】
請求項１記載のスクリーン用ダンパ装置において、前述のダンパ（１０）とダンパハウジング（２０）の収容室（２１１）の区間にダンパオイルを注入できることを特徴とする、スクリーン用ダンパ装置。
【請求項７】
請求項１記載のスクリーン用ダンパ装置において、前述のクラッチアセンブリ（３０）はダンパ（１０）に隣接し、プラグ（３１）と弾性部品（３２）を包含し、該プラグ（３１）の一端より凸棒部（３１１）が延伸され、該凸棒部（３１１）内部にダンパハウジング（２０）の一端の軸心（２２）を貫通させる穿孔（３１２）が設けられ、該弾性部品（３２）は、該ダンパ（１０）の別端の凸棒（１３）とプラグ（３１）の一端の凸棒部（３１１）外周に嵌合され、並びに該弾性部品（３２）の両端（３２１）、（３２２）がそれぞれ該フランジ（１１）と該プラグ（３１）の内側に設置されることを特徴とする、スクリーン用ダンパ装置。
【請求項８】
請求項１記載のスクリーン用ダンパ装置において、該ダンパ装置がダンパ（１０ａ）とダンパハウジング（２０ａ）を包含し、ブラインド（５０）と組合せられたことを特徴とする、スクリーン用ダンパ装置。
【発明の詳細な説明】
【技術分野】
【０００１】
本発明は一種のスクリーンの収容と釈放に用いられるダンパ装置に関する。
【背景技術】
【０００２】
スクリーンは遮光或いは装飾目的に使用され、ロールスクリーン或いはブラインドに対する巻回或いは引き上げ、或いは釈放には、いずれも手でスクリーン布を引っ張るか、ロープで操作する。一般にスクリーンにはダンパ装置Ａが設けられ、該ダンパ装置Ａの収容溝Ａ１０内に潤滑液Ｂが入れられ、収容溝Ａ１０の潤滑液Ｂ中に延伸された軸心Ａ２０の一端に取り付けられたブレードＡ２１にダンパ作用を形成させる（図１）。
【発明の開示】
【発明が解決しようとする課題】
【０００３】
しかしこのような周知のロールスクリーン或いはブラインド用のダンパ装置Ａは、使用時に以下のような欠点を有している。
【０００４】
スクリーンを底まで引き伸ばした後、手を話して巻回させる時、主伝動軸ｃが回転して別端のダンパ装置Ａに組み合わされたブレードＡ２１を駆動し、回転させて潤滑油Ｂを送らせる。回転中に瞬間抵抗力が大きいため、トルクの過大が形成され、部品の損壊率が高くなり、スクリーン布の収容展開時の緩衝作用の制御が難しい。
【０００５】
本発明は、周知のスクリーンの、収容、展開時の速度を最適に制御できないという問題を鑑み、それを解決するスクリーンの収容、展開用のダンパ装置を提供することを目的としている。
【課題を解決するための手段】
【０００６】
請求項１の発明は、スクリーン用ダンパ装置において、該ダンパ装置はダンパ（１０）及びダンパハウジング（２０）を包含し、クラッチアセンブリ（３０）と枢接され且つロールスクリーン（４０）が組み合わされ、
該ダンパ（１０）は、その外周にフランジ（１１）が設けられ、該フランジ（１１）の一端に、軸（１２０）がダンパハウジング（２０）に対して回転する時に内部の流体に体積変化を発生させる一組以上の曲面（１２）、（１２１）が設けられ、該フランジ（１１）の別端に凸棒（１３）が設けられ、該ダンパ（１０）の中央に軸方向に貫通する貫通孔（１４）が設けられ、
該ダンパハウジング（２０）は、該ダンパ（１０）の外周に嵌合され、内部に収容室（２１１）を具えたハウジング（２１）、及び該収容室（２１１）の中央に位置し延伸された軸心（２２）と、別端の突出する棒体（２３）を具えたことを特徴とする、スクリーン用ダンパ装置としている。
請求項２の発明は、請求項１記載のスクリーン用ダンパ装置において、前述のダンパ（１０）のフランジ（１１）の一端の上部と底部の表面に、第１凹環（１１１）と第２凹環（１１２）が設けられ、それぞれ第１パッキング（１５）、第２パッキング（１６）が嵌め込まれ、これによりダンパハウジング（２０）との嵌合部分が緊密に封じられたことを特徴とする、スクリーン用ダンパ装置としている。
請求項３の発明は、請求項１記載のスクリーン用ダンパ装置において、前述のダンパ（１０）のフランジ（１１）の別端面に係止溝（１１３）が延設され、弾性部品（３２）の一端（３２１）が係止されたことを特徴とする、スクリーン用ダンパ装置としている。
請求項４の発明は、請求項１記載のスクリーン用ダンパ装置において、前述のダンパハウジング（２０）の一端の軸心（２２）にネジ孔（２２１）が設けられたことを特徴とする、スクリーン用ダンパ装置としている。
請求項５の発明は、請求項１記載のスクリーン用ダンパ装置において、前述の棒体（２３）に穿孔（２３１）及び周壁のピン孔（２３２）が設けられたことを特徴とする、スクリーン用ダンパ装置としている。
請求項６の発明は、請求項１記載のスクリーン用ダンパ装置において、前述のダンパ（１０）とダンパハウジング（２０）の収容室（２１１）の区間にダンパオイルを注入できることを特徴とする、スクリーン用ダンパ装置としている。
請求項７の発明は、請求項１記載のスクリーン用ダンパ装置において、前述のクラッチアセンブリ（３０）はダンパ（１０）に隣接し、プラグ（３１）と弾性部品（３２）を包含し、該プラグ（３１）の一端より凸棒部（３１１）が延伸され、該凸棒部（３１１）内部にダンパハウジング（２０）の一端の軸心（２２）を貫通させる穿孔（３１２）が設けられ、該弾性部品（３２）は、該ダンパ（１０）の別端の凸棒（１３）とプラグ（３１）の一端の凸棒部（３１１）外周に嵌合され、並びに該弾性部品（３２）の両端（３２１）、（３２２）がそれぞれ該フランジ（１１）と該プラグ（３１）の内側に設置されることを特徴とする、スクリーン用ダンパ装置としている。
請求項８の発明は、請求項１記載のスクリーン用ダンパ装置において、該ダンパ装置がダンパ（１０ａ）とダンパハウジング（２０ａ）を包含し、ブラインド（５０）と組合せられたことを特徴とする、スクリーン用ダンパ装置としている。
【発明の効果】
【０００７】
本発明のダンパ装置は従来の技術の、スクリーン用ダンパ装置の、スクリーン巻き取り或いは引き上げ及び引き伸ばし或いは展開時に発生する速度制御の難しさの問題を解決した。
【発明を実施するための最良の形態】
【０００８】
本発明は一種のスクリーン用ダンパ装置を提供し、該ダンパ装置はダンパ及びダンパハウジングを包含し、クラッチアセンブリと枢接され且つロールスクリーン或いはブラインドが組み合わされ、該ダンパの一端に、軸がダンパハウジングに対して回転する時に体積変化を発生可能な曲面が設けられ、該ダンパと該ダンパハウジングの間の密閉された収容室中にダンパオイルが入れられ、該ダンパハウジングの一端の軸心にクラッチアセンブリが枢接され、ダンパハウジングの別端の軸棒に、ロールスクリーンが装着される主バネの伝動棒が嵌合される。本発明のダンパ装置は、ロールスクリーン或いはブラインドを収容或いは引き出す時に、その速度制御作用を提供する。
【実施例１】
【０００９】
図２、図３及び図４、５に示されるように、本発明のスクリーン用ダンパ装置は、ダンパ（１０）及びダンパハウジング（２０）を包含し、クラッチアセンブリ（３０）と枢接され且つロールスクリーン（４０）或いはブラインド（５０）が組み合わされる。
【００１０】
そのうち、該ダンパ（１０）は、その外周にフランジ（１１）が設けられ、該フランジ（１１）の一端に、軸（１２０）がダンパハウジング（２０）に対して回転する時に内部の流体に体積変化を発生させる一組以上の曲面（１２）、（１２１）が設けられ、該フランジ（１１）の別端に凸棒（１３）が設けられ、該ダンパ（１０）の中央に軸方向に貫通する貫通孔（１４）が設けられている。該フランジ（１１）の一端の、上部と底部表面にそれぞれ第１凹環（１１１）、第２凹環（１１２）が設けられ、それぞれ第１パッキング（１５）、第２パッキング（１６）が嵌め込まれ、該フランジ（１１）の別端面に係止溝（１１３）が延設されている。
【００１１】
該ダンパハウジング（２０）は、該ダンパ（１０）の外周に嵌合され、内部に収容室（２１１）を具えたハウジング（２１）、及び該ハウジング（２１）の一端の中央より延伸されてネジ孔（２２１）を具えた軸心（２２）、及び該ハウジング（２１）の別端に凸設された棒体（２３）を具え、該棒体（２３）に穿孔（２３１）と周壁のピン孔（２３２）が設けられている。
【００１２】
該クラッチアセンブリ（３０）はダンパ（１０）に隣接し、それはプラグ（３１）と弾性部品（３２）を包含し、該プラグ（３１）の一端より凸棒部（３１１）が延伸され、該凸棒部（３１１）の内部に該ダンパハウジング（２０）の一端の軸心（２２）が通される穿孔（３１２）が設けられ、該弾性部品（３２）は該ダンパ（１０）の別端の凸棒（１３）と該クラッチアセンブリ（３０）のプラグ（３１）の一端の凸棒部（３１１）の外周に嵌合され、その一端（３２１）はダンパ（１０）の係止溝（１１３）中に係止され、別端（３２２）はプラグ（３１）内側に設置される。
【００１３】
更に図３、図４及び図５に示されるように、本発明を組み合わせる時、該ダンパ（１０）は、ダンパ油が注入されたダンパハウジング（２０）に挿入され、第１凹環（１１１）に嵌合された第１パッキング（１５）と第２凹環（１１２）に嵌合された第２パッキング（１６）により収容室（２１１）が閉じられ、さらにクラッチアセンブリ（３０）が枢接され、ワッシャ（２４）、固定部品（２５）を利用して軸心（２２）とネジ止めされた後、ダンパハウジング（２０）の別端の棒体（２３）の穿孔（３１２）とロールスクリーン（４０）の軸棒（４１）が嵌合され並びにネジ等の固定部品（４２）がピン孔（２３２）にねじ込まれて固定される。
【００１４】
さらに図５に示されるように、実際の使用時に、本発明のダンパ装置にロールスクリーン（４０）を組み合わせて、逆時計方向にスクリーン布（４３）を巻き取る時、クラッチアセンブリ（３０）のプラグ（３１）は逆時計方向に回転し、その回転方向が弾性部品（３２）の螺旋方向と同方向であるため、クラッチアセンブリ（３０）が連結作用を形成し、ダンパ（１０）の凸棒（１３）を駆動して回転させ、並びにこれによりダンパハウジング（２０）の収容室（２１１）中に嵌合されたダンパ（１０）を駆動して軸棒（４１）に対して回転させ、ダンパハウジング（２０）内部のダンパオイルが、軸（１２０）がダンパハウジング（２０）に対して回転するときに、体積変化を形成する曲面（１２）、（１２１）に設置され、これによりダンパオイルが速度を緩和するダンパ作用を形成し、スクリーン布（４３）の巻き取り速度を緩める。時計周り方向にスクリーン布（４３）を展開する時、クラッチアセンブリ（３０）は時計周りに回転するが、回転方向が弾性部品（３２）の螺旋方向と反対であるため、クラッチアセンブリ（３０）と連結作用を形成せず、このとき、プラグ（３１）の回転はダンパ（１０）の凸棒（１３）を駆動せず、ダンパ（１０）がクラッチアセンブリ（３０）の回転により回転することがなく、ゆえにダンパ（１０）は静止して不動であり、クラッチアセンブリ（３０）はダンパ（１０）上で空転し、これによりスクリーン布（４３）の展開は阻止されず十分に順調に行われる。
【実施例２】
【００１５】
また、図６、図７、図８、図９に示されるように、本発明はダンパ（１０ａ）とダンパハウジング（２０ａ）でダンパ装置を形成し、応用時にフレキシブルに取り付け方式を変更でき、それはブラインド（５０）の一端にロープ制御装置（５１）に係止ローラセット（５２）のリール（５２１）の背面を取り付ける。ブレード（５３）を逆時計方向に展開する時、ダンパ（１０ａ）とダンパハウジング（２０ａ）の間に入れられたダンパオイルのダンパ作用により、ブレード（５３）の展開速度が緩和される。ロープが時計周りに巻き取られる時、ダンパ装置はそれにより時計周りに回転し且つ阻止を受けることなく空転し、十分に順調に巻き取ることができ、これによりブレード（５３）の引き上げを順調に行える。
【００１６】
総合すると、本発明のダンパ装置はそれぞれロールスクリーン（４０）或いはブラインド（５０）に取り付けられ、ロールスクリーン（４０）のスクリーン布（４３）の巻き取り速度を緩和し、展開を順調にするか、或いはブラインド（５０）のブレード（５３）の展開速度を緩和し、引き上げを順調にする効果を達成し、これにより異なるスクリーンに適応され、便利である。
【図面の簡単な説明】
【００１７】
【図１】周知のダンパ装置の配置表示図である。
【図２】本発明の立体分解図である。
【図３】本発明のダンパ装置の部分断面図である。
【図４】本発明のダンパ装置の組合せ断面図である。
【図５】本発明のダンパ装置にロールスクリーンを配置した表示図である。
【図６】本発明のダンパ装置にブラインドを配置した表示図である。
【図７】ダンパ装置の立体分解図である。
【図８】図７のＡ−Ａ断面図である。
【図９】図７の配置状態表示図である。
【符号の説明】
【００１８】
１０  ダンパ                ２０  ダンパハウジング
３０  クラッチアセンブリ    ４０  ロールスクリーン
１１  フランジ              １２０  軸
１２、１２１  曲面          １３  凸棒
１４  貫通孔                ２１１  収容室
２１  ハウジング            ２２  軸心
２３  棒体                  １１１  第１凹環
１１２  第２凹環            １５  第１パッキング
１６  第２パッキング        １１３  係止溝
３２  弾性部品              ２２１  ネジ孔
２３１  穿孔                ２３２  ピン孔
３１  プラグ                ３１１  凸棒部
１０ａ  ダンパ              ２０ａ  ダンパハウジング
５０  ブラインド            ５３  ブレード
【図１】
2009091777.tif 000003
【図２】
2009091777.tif 000004
【図３】
2009091777.tif 000005
【図４】
2009091777.tif 000006
【図５】
2009091777.tif 000007
【図６】
2009091777.tif 000008
【図７】
2009091777.tif 000009
【図８】
2009091777.tif 000010
【図９】
2009091777.tif 000011